(57)【要約】【課題】遮熱性能を向上させることが可能になる、扉を提供すること。【解決手段】扉１は、扉体１０をヒンジ部４０によって回動自在に軸支して構成された扉１であって、扉体１０の一方の主側面の一部及び当該扉体１０の戸尻側の側面の一部を覆う室内側表面材３０と、扉体１０の他方の主側面の一部及び当該扉体１０の戸尻側の側面の他の一部を覆う室外側表面材３１と、室内側表面材３０における扉体１０の戸尻側の部分とヒンジ部４０との相互間に設けられた第３遮熱部５３とを備える。【選択図】図４
2019218857.tif 000002
【特許請求の範囲】
【請求項１】
扉体をヒンジ部によって回動自在に軸支して構成された扉であって、
前記扉体の２つの主側面のうち一方の主側面の一部及び当該扉体の戸尻側の側面の一部を覆う第１表面材と、
前記扉体の前記２つの主側面のうち他方の主側面の一部及び当該扉体の戸尻側の側面の他の一部を覆う第２表面材と、
前記第１表面材における前記扉体の戸尻側の部分又は前記第２表面材における前記扉体の戸尻側の部分の少なくともいずれか一方と前記ヒンジ部との相互間に設けられた遮熱手段と、
を備える扉。
【発明の詳細な説明】
【技術分野】
【０００１】
本発明は、扉に関する。
【背景技術】
【０００２】
従来、玄関等に設けられる扉として、火災等によって当該扉を介して当該扉の一方の側から他方の側に向けて熱が伝導することを抑制できる扉が提案されている。このような扉は、骨組フレームと、骨組フレームにおける見込み方向に直交する側面のうち一方の側面に対して直接的に取り付けられた表面材と、骨組フレームにおける見込み方向に直交する側面のうち他方の側面に直接的に取り付けられた裏面材とを備えて構成されており、建物の開口部に設けられた扉枠内において、蝶番によって開閉自在に支持されている。また、この扉枠の内周面のうち扉よりも建物の屋内側の部分に形成された段部には、ガスケットが周設されており、扉によって開口部が閉鎖された状態において、このガスケットが扉と当接するように配置されている。このような構成により、扉によって開口部が閉鎖された状態において、扉とガスケットとが当接することにより、当該扉を介して当該扉の一方の側（すなわち、表面材側又は裏面材側のいずれか一方）から他方の側（すなわち、表面材側又は裏面材側のいずれか他方）に向けて熱が伝導することを抑制できる（例えば、特許文献１参照）。
【先行技術文献】
【特許文献】
【０００３】
【特許文献１】特開平９−２５７５４号公報
【発明の概要】
【発明が解決しようとする課題】
【０００４】
ここで、上記従来の扉においては、蝶番の如きヒンジ部が、表面材及び裏面材の如き骨組フレームを覆う部材（ここで、これら表面材及び裏面材を、以下では、「一対の表面材」と称して説明する）と直接的に接触するように設けられていたので、例えば、この扉を有する建物の部屋の中で火災が発生した場合には、当該火災の熱によって、この扉における一方の表面材が加熱されることにより、当該火災の熱の一部が、ヒンジ部を介して当該一方の表面材側から他方の表面材側へ伝導されていた。このことにより、例えば、上記火災時において、上記扉に隣接する避難通路を通って人が避難することが妨げられる可能性があった。このことから、一対の表面材とヒンジ部との相互間での熱伝導を抑制するために、遮熱性能を向上させることができる扉が要望されていた。
【０００５】
本発明は、上記従来技術における課題を解決するためのものであって、遮熱性能を向上させることが可能になる、扉を提供することを目的とする。
【課題を解決するための手段】
【０００６】
上述した課題を解決し、目的を達成するために、請求項１に記載の扉は、扉体をヒンジ部によって回動自在に軸支して構成された扉であって、前記扉体の２つの主側面のうち一方の主側面の一部及び当該扉体の戸尻側の側面の一部を覆う第１表面材と、前記扉体の前記２つの主側面のうち他方の主側面の一部及び当該扉体の戸尻側の側面の他の一部を覆う第２表面材と、前記第１表面材における前記扉体の戸尻側の部分又は前記第２表面材における前記扉体の戸尻側の部分の少なくともいずれか一方と前記ヒンジ部との相互間に設けられた遮熱手段と、を備える。
【発明の効果】
【０００７】
請求項１に記載の扉によれば、第１表面材又は第２表面材の少なくともいずれか一方と、第１表面材における扉体の戸尻側の部分又は第２表面材における扉体の戸尻側の部分の少なくともいずれか一方とヒンジ部との相互間に設けられた遮熱手段と、を備えているので、遮熱手段によって、第１表面材又は第２表面材の少なくともいずれか一方とヒンジ部との相互間での熱伝導を抑制することができ、当該扉の遮熱性能（特に、扉体における戸尻側の部分の遮熱性能）を向上させることができる。よって、例えば、当該扉を有する建物の部屋の中で火災が発生した場合に、当該扉に隣接する避難通路を通って人が避難することが妨げられることを回避できる。
【図面の簡単な説明】
【０００８】
【図１】本発明の実施の形態１に係る扉であって、開口部全閉状態を示す図であり、（ａ）は正面図、（ｂ）は右側面図である。
【図２】図１の扉のＡ−Ａ矢視断面図である。
【図３】図１のＢ領域周辺の拡大図である。
【図４】図２の拡大図である。
【図５】戸尻側縦力骨を示す図であり、（ａ）は平面図、（ｂ）は右側面図である。
【図６】実施の形態２に係る扉を示す図であって、図２に対応する領域を示す図である。
【図７】実施の形態２に係る扉を示す図であって、図３に対応する領域を示す図である。
【図８】実施の形態３に係る扉を示す図であって、図２に対応する領域を示す図である。
【図９】実施の形態３に係る扉を示す図であって、図３に対応する領域を示す図である。
【図１０】図８の拡大図である。
【発明を実施するための形態】
【０００９】
以下に添付図面を参照して、この発明に係る扉の実施の形態を詳細に説明する。まず、〔I〕実施の形態の基本的概念について説明した後、〔II〕実施の形態の具体的内容について説明し、最後に、〔III〕各実施の形態に対する変形例について説明する。ただし、実施の形態によって本発明が限定されるものではない。
【００１０】
〔I〕実施の形態の基本的概念
まず、実施の形態の基本的概念について説明する。実施の形態は、概略的に、建物の開口部に設けられる扉であって、扉体をヒンジ部によって回動自在に軸支して構成された扉に関するものである。
【００１１】
ここで、「建物」とは、その具体的な構造や種類は任意であるが、例えば、オフィスビル又は工場施設等を含む概念である。また、「建物の開口部」とは、建物の躯体の一部分（例えば、壁、天井、又は床等）において窓や入り口を設置するために形成された開口部である。また、「扉（ドア）」は、建物の開口部の出入り又は視界を抑制又は制限するための構造体を意味する。また、扉の取り付け位置や用途は任意であるが、例えば玄関に設置される「玄関扉」、勝手口や通用口に設置される「勝手口扉」、あるいは建物内部に設置される「室内扉」等を含む。また、扉の開閉構造は任意であり、例えば、片開式の開き戸や両開式の開き戸（いわゆる親子型の扉）として構成することができる。以下、実施の形態では、扉が、ビルの如き建物の避難通路に面する位置に配置された片開式の開き戸であって、この避難通路に隣接する部屋の中で火災が発生した場合に、当該火災の熱が当該扉を介して避難通路側に伝導することを抑制できる開き戸（すなわち、片開式の遮熱扉）である場合について説明する。
【００１２】
〔II〕実施の形態の具体的内容
次に、実施の形態の具体的内容について説明する。
【００１３】
〔実施の形態１〕
まず、実施の形態１に係る扉について説明する。この実施の形態１は、第１遮熱手段が遮熱部材であり、第２遮熱手段及び第３遮熱手段が遮熱空間部である形態である。
【００１４】
（構成）
最初に、実施の形態１に係る扉の構成について説明する。以下の説明では、図１のＸ方向を扉の左右方向又は幅方向（−Ｘ方向を扉の左方向、＋Ｘ方向を扉の右方向）、図１のＹ方向を扉の前後方向（＋Ｙ方向を扉の前方向（部屋の室外側の方向）、−Ｙ方向を扉の後方向（部屋の室内側の方向））、図１のＺ方向を扉の上下方向（＋Ｚ方向を扉の上方向、−Ｚ方向を扉の下方向）と称する。また、図４においては、後述する第３遮熱部５３を想像線で示す（なお、後述する図１０に示す第３遮熱部５３についても同様とする）。
【００１５】
図１から図４に示すように、扉１は、概略的に、枠体（図示省略）と、扉体１０と、ヒンジ部４０とを備えて構成されている。ただし、扉１に関する特記しない構成については、従来と同様であるものとして説明を省略する。なお、後述する扉１を構成する各種部材同士の取付方法（又は接続方法）については任意であるが、例えば、取付側の部材又は取付相手側の部材に形成された取付孔（例えば、リベット孔、ネジ孔、ビス孔等）を介して、取付側の部材を取付相手側の部材に対して固定具（例えば、リベット、取付ネジ、ビス等）、溶接、接着剤、両面テープ等によって取り付ける（又は接続する）方法が採用されている。
【００１６】
（構成−枠体）
枠体は、建物の躯体（図示省略）に形成された開口部（図示省略）の周縁に設置されるものであり、左右一対の縦枠及び上下一対の横枠を備える（いずれも図示省略）。これら縦枠及び横枠は、それぞれ開口部の周縁における建物の躯体に公知の方法で直接的に固定されており、相互に組み合わせられることにより全体として正面矩形環状の枠体を構成する。以下では、必要に応じて、左右一対の縦枠のうち、後述する扉体１０の戸尻側の縦枠を「戸尻側縦枠」と称し、後述する扉体１０の戸先側の縦枠を「戸先側縦枠」と称する。また、上下一対の横枠のうち、上側の横枠を「上側横枠」と称し、下側の横枠を「下側横枠」と称する。
【００１７】
ここで、戸先側縦枠には、デッドボルト受けと、ラッチ受けとが設けられている（いずれも図示省略）。デッドボルト受けは、扉体１０を全閉位置（実施の形態１においては図１に示す位置）に位置させた状態において、扉体１０に設けられた後述する公知のデッドボルトを受けるためのデッドボルト受容手段であり、後述するデッドボルトと対応する位置に配置されている。ラッチ受けは、扉体１０に設けられた後述するラッチを受けるためのラッチ受容手段であり、ラッチと対応する位置に配置されている。
【００１８】
（構成−扉体）
扉体１０は、建物の開口部を開閉するための平板状の開閉体である。図１に示すように、扉体１０は、扉枠２０と、表面材３０、３１とを備えている。
【００１９】
（構成−扉体−扉枠）
扉枠２０は、扉体１０の剛性を主として担うものである。この扉枠２０は、複数のスチール製の左右一対の縦力骨２１、２２、及び上下一対の横力骨２３、２４を組み合わせることによって、正面形状が矩形環状となるように形成されている。このうち、左右一対の縦力骨２１、２２は、長手方向（上下方向）の長さが相互に略同一となるように形成されており、上下方向に略沿うように配置されている。また、上下一対の横力骨２３、２４は、長手方向（左右方向）の長さが相互に略同一となるように形成されており、左右方向に略沿うように配置されている。以下では、必要に応じて、縦力骨２１、２２のうち、扉体１０の戸尻側の縦力骨２１を「戸尻側縦力骨２１」と称し、扉体１０の戸先側の縦力骨２２を「戸先側縦力骨２２」と称する。また、横力骨２３、２４のうち、上側の横力骨２３を「上側横力骨２３」と称し、下側の横力骨２４を「下側横力骨２４」と称する。なお、この戸尻側縦力骨２１は、特許請求の範囲における「支持部材」に対応する。
【００２０】
（構成−扉体−表面材）
表面材３０は、扉体１０の２つの主側面のうち一方の主側面の一部及び当該扉体１０の戸尻側の側面の一部を覆う第１表面材であり、表面材３１は、扉体１０の２つの主側面のうち他方の主側面の一部及び当該扉体１０の戸尻側の側面の他の一部を覆う第２表面材である。ここで、「主側面」とは、扉体１０の側面のうち、面積が最も大きな側面を意味し、実施の形態１では、見込み方向（前後方向）に直交する２つの側面、すなわち扉体１０の部屋の室内側の側面及び扉体１０の部屋の室外側の側面を主側面として説明する。また、これら表面材３０、３１は、扉枠２０を部屋の室内側及び部屋の室外側から覆うように設置されており、表面材３０、３１及び扉枠２０の各々に形成された取付孔（図示省略）を介して扉枠２０に対して固定具等によって固定されている。以下では、必要に応じて、これら表面材３０、３１のうち、部屋の室内側に配置された表面材３０を「室内側表面材３０」と称し、部屋の室外側に配置された表面材３１を「室外側表面材３１」と称する。
【００２１】
（構成−扉体−その他の構成）
また、扉体１０の戸先側には、把手１１、ラッチ（図示省略）、及び施錠装置（図示省略）が設けられている。このうち、把手１１は、ユーザが扉体１０の開閉操作を行うためのものであり、扉体１０の部屋の室内側の側面及び部屋の室外側の側面における相互に対応する位置に配置されている。また、ラッチは、施錠装置による施錠の有無に関わらず、扉体１０によって開口部が閉鎖された状態（以下、「開口部全閉状態」と称する）の位置に扉体１０を維持するためのものである。このラッチは、扉体１０の内部に設けられた連動機構（図示省略）を介して把手１１と連結されており、ユーザによる把手１１の操作に連動して、ラッチを扉体１０の戸先側の側面から出し入れすることができる。これにより、開口部全閉状態において、このラッチを戸先側縦枠に設けられたラッチ受けに係止させることにより、扉体１０を開口部全閉状態の位置に維持することができる。また、施錠装置は、扉体１０を施錠するための装置である。この施錠装置は、デッドボルト（図示省略）を備えて構成されており、具体的には、ユーザが扉体１０の前方から鍵操作を行うことにより、デッドボルトを扉体１０の戸先側の側面から出し入れすることができ、開口部全閉状態において、このデッドボルトを戸先側縦枠に設けられたデッドボルト受けに係止させることで、扉体１０を施錠することができる。
【００２２】
（構成−ヒンジ部）
ヒンジ部４０は、扉体１０を戸尻側縦枠に対して回動自在に軸支するためのものである。このヒンジ部４０は、扉体１０の戸尻側の端部において、相互に間隔を隔てて上下方向に沿って複数並設されている。また、このヒンジ部４０は、公知の旗蝶番と同様に構成され、具体的には、円筒状の上軸受４１と、上軸受４１に差し込み自在な棒状の下軸（図示省略）と、上軸受４１に接続された上支持片４２と、下軸に接続された下支持片（図示省略）とを備えており、上軸受４１及び下軸が扉体１０よりも部屋の室外側に位置するように設けられている。また、このヒンジ部４０の固定方法については任意であるが、実施の形態１においては、図２から図４に示すように、上支持片４２に形成された取付孔（図示省略）、室外側表面材３１に形成された取付孔（図示省略）（又は後述する補助部材３３に形成された取付孔（図示省略））、後述する第１遮熱部５１に形成された取付孔（図示省略）、戸尻側縦力骨２１の後述する中央片２５に形成された、後述する図５に示す取付孔２５ａ、及び後述する固定ライナ２８に形成された、後述する図５に示す取付孔２８ａを介して、上支持片４２を固定ライナ２８に対して固定具４３により固定する。次に、下支持片に形成された取付孔（図示省略）、及び戸尻側縦枠に形成された取付孔（図示省略）を介して、下支持片を戸尻側縦枠に対して固定具（図示省略）により固定する。そして、この下支持片と接続された下軸を、この上支持片４２と接続された上軸受４１に差し込むことにより、このヒンジ部４０を介して扉体１０と戸尻側縦枠とを連結する。
【００２３】
（構成−扉枠の構成の詳細）
次に、扉枠２０の構成の詳細について説明する。この扉枠２０を構成する戸尻側縦力骨２１、戸先側縦力骨２２、上側横力骨２３、及び下側横力骨２４は、特記する場合を除いて、任意の形状、方法、及び材質で製造することができる。実施の形態１において、戸尻側縦力骨２１、戸先側縦力骨２２、上側横力骨２３、及び下側横力骨２４の各々は、自己の長手方向に直交する断面の断面形状がコ字状となるように形成されている。具体的には、図２、図４、図５に示すように、戸尻側縦力骨２１は、中央片２５と、部屋の室内側に位置する室内側片２６と、部屋の室外側に位置する室外側片２７とを有している。また、戸先側縦力骨２２、上側横力骨２３、及び下側横力骨２４の各々も、戸尻側縦力骨２１と同様に、中央片と、部屋の室内側に位置する室内側片と、部屋の室外側に位置する室外側片とを有している（いずれも図示省略）。
【００２４】
また、この戸尻側縦力骨２１には、固定具４３を介してヒンジ部４０を当該戸尻側縦力骨２１に対して固定するための固定ライナ２８が設けられている。ここで、固定ライナ２８が設けられた理由は以下の通りである。すなわち、扉体１０の内部に後述する第４遮熱部５４ａ、５４ｂを設ける場合には、扉体１０の内部に後述する第４遮熱部５４ａ、５４ｂを設けない場合に比べて、中央片２５の前後方向の長さ（幅）を狭める必要があることから、この中央片２５において固定具４３を取り付けるための取付孔２５ａを形成するための十分な領域を確保しづらくなる可能性があった。そこで、このような問題を解消するために、固定ライナ２８が設けられている。この固定ライナ２８は、長尺な板状体にて形成されており、具体的には、固定ライナ２８の長手方向の長さ（上下方向の長さ）が、少なくともヒンジ部４０の上支持片４２の上下方向の長さよりも長くなるように形成されている。また、この固定ライナ２８は、中央片２５及び室外側片２７にわたって形成された切欠部２７ａを介して戸尻側縦力骨２１の内部において少なくとも一部が収容されており、当該固定ライナ２８の長手方向が上下方向に沿うと共に、当該固定ライナ２８の側面が中央片２５と接触するように設けられている。また、この固定ライナ２８に対して固定具４３を取り付ける方法については、実施の形態１においては、図２から図５に示すように、固定具４３のうち、室外側表面材３１側に位置する固定具４３は、室外側表面材３１の取付孔、及び固定ライナ２８の取付孔２８ａを介して固定ライナ２８に対して取り付けられている。一方、固定具４３のうち、室内側表面材３０側に位置する固定具４３は、室内側表面材３０の取付孔、中央片２５の取付孔２５ａ、及び固定ライナ２８の取付孔２８ａを介して固定ライナ２８に対して取り付けられている。
【００２５】
このような戸尻側縦力骨２１、戸先側縦力骨２２、上側横力骨２３、下側横力骨２４、及び固定ライナ２８の材質は、例えば、鋼材（具体的には、スチール、ステンレス等）で製造することができる。
【００２６】
（構成−扉体の遮熱構造）
次に、扉体１０の遮熱構造について説明する。この扉体１０は、部屋の室内側又は室外側のいずれか一方で火災が発生した場合に、当該火災の熱が当該扉１を介して当該部屋の室内側又は室外側のいずれか一方から当該部屋の室内側又は室外側のいずれか他方へ伝導することを抑制するための遮熱構造を備えている。また、この遮熱構造は、扉体１０の戸尻側の遮熱構造と、扉体１０の戸尻側以外の他の部位の遮熱構造とを備えている。以下では、これら各遮熱構造について順次説明する。
【００２７】
（構成−扉体の遮熱構造−扉体の戸尻側の遮熱構造）
まず、扉体１０の戸尻側の遮熱構造について説明する。図２から図４に示すように、扉体１０における戸尻側の部分の遮熱性能を向上させるための遮熱構造として、第１遮熱部５１、第２遮熱部５２、第３遮熱部５３、及び第４遮熱部５４ａ、５４ｂが設けられている。
【００２８】
（構成−扉体の遮熱構造−扉体の戸尻側の遮熱構造−第１遮熱部）
第１遮熱部５１は、室内側表面材３０及び室外側表面材３１の各々における扉体１０の戸尻側の部分と戸尻側縦力骨２１の中央片２５との相互間での熱伝導を抑制するための第１遮熱手段である。この第１遮熱部５１は、例えば公知の遮熱部材（例えば比較的高い遮熱性を有する無機材等）を用いて構成されており、板状体に形成され、この中央片２５の上下方向の全長にわたって形成されている。また、図２から図４に示すように、この第１遮熱部５１は、室内側表面材３０及び室外側表面材３１の各々における扉体１０の戸尻側の部分とこの中央片２５との相互間において、当該扉体１０の戸尻側の部分と当該中央片２５とによって挟持されるように設けられており、当該扉体１０の戸尻側の部分又は当該中央片２５に対して接着剤等によって固定されている。
【００２９】
また、この第１遮熱部５１の左右方向の長さ（厚さ）及び前後方向の長さ（幅）については、室内側表面材３０及び室外側表面材３１の各々における扉体１０の戸尻側の部分とこの中央片２５との相互間での熱伝導を抑制することが可能である限り、任意に設定することができる。実施の形態１においては、第１遮熱部５１の左右方向の長さ（厚さ）は、部屋の室内側又は室外側のいずれか一方で火災が発生した場合において、室内側表面材３０及び室外側表面材３１のいずれか一方から第１遮熱部５１及び中央片２５を介して室内側表面材３０及び室外側表面材３１のいずれか他方へ熱伝導が行われる場合に、人が避難通路を通って避難することが妨げられない程度に、この熱伝導を抑制することが可能な長さに設定されており、具体的には、この熱伝導を抑制するために必要な当該長さが、第１遮熱部５１の材質に応じて異なり得ることから、実験結果等に基づいて設定されている。また、第１遮熱部５１の前後方向の長さ（幅）は、この中央片２５の前後方向の長さ（幅）と略同一又はそれよりも長い長さに設定されている。このような構成により、室内側表面材３０（又は室外側表面材３１）における扉体１０の戸尻側の部分と戸尻側縦力骨２１の中央片２５との相互間での熱伝導を抑制できる。
【００３０】
（構成−扉体の遮熱構造−扉体の戸尻側の遮熱構造−第２遮熱部）
第２遮熱部５２は、室内側表面材３０における扉体１０の戸尻側の部分と室外側表面材３１における扉体１０の戸尻側の部分との相互間での熱伝導を抑制するための第２遮熱手段である。図２から図４に示すように、この第２遮熱部５２は、室内側表面材３０における扉体１０の戸尻側の部分と、当該部分と突き合わさるように配置された室外側表面材３１における扉体１０の戸尻側の部分との相互間に設けられた遮熱空間部として構成されており、室内側表面材３０（又は室外側表面材３１）の上下方向の全長にわたって形成されている。
【００３１】
ここで、この第２遮熱部５２を遮熱空間部として構成するためには、具体的には、室内側表面材３０及び室外側表面材３１が扉枠２０に対して取り付けられた場合に、室内側表面材３０における扉体１０の戸尻側の部分の先端部と室外側表面材３１における扉体１０の戸尻側の部分の先端部とが相互に接触しないように、室内側表面材３０における扉体１０の戸尻側の部分の前後方向の長さ、及び室外側表面材３１における扉体１０の戸尻側の部分の前後方向の長さが設定されている。
【００３２】
また、この第２遮熱部５２の前後方向の長さ（幅）及び左右方向の長さ（厚さ）については、室内側表面材３０における扉体１０の戸尻側の部分（又は補助部材３３）と室外側表面材３１における扉体１０の戸尻側の部分との相互間での熱伝導を抑制することが可能である限り、任意に設定することができる。実施の形態１においては、第２遮熱部５２の前後方向の長さ（幅）は、部屋の室内側又は室外側のいずれか一方で火災が発生した場合において、室内側表面材３０及び室外側表面材３１のいずれか一方から第２遮熱部５２を介して室内側表面材３０及び室外側表面材３１のいずれか他方へ熱伝導が行われる場合に、人が避難通路を通って避難することが妨げられない程度に、この熱伝導を抑制することが可能な長さに設定されており、具体的には、この熱伝導を抑制するために必要な当該長さを正確に設定できるように、実験結果等に基づいて設定されている。また、この第２遮熱部５２の左右方向の長さ（厚さ）は、室内側表面材３０（又は室外側表面材３１）の厚さと略同一に設定されている（あるいは、この熱伝導を抑制できる限り、室内側表面材３０（又は室外側表面材３１）の厚さよりも薄く、又は厚く設定されてもよく、例えば、第２遮熱部５２の内部に他の部材を介在させる場合には、室内側表面材３０（又は室外側表面材３１）の厚さよりも薄く設定されてもよい）。このような構成により、室内側表面材３０における扉体１０の戸尻側の部分と、室外側表面材３１における扉体１０の戸尻側の部分との相互間での熱伝導を抑制できる。
【００３３】
（構成−扉体の遮熱構造−扉体の戸尻側の遮熱構造−第３遮熱部）
第３遮熱部５３は、室内側表面材３０における扉体１０の戸尻側の部分とヒンジ部４０との相互間での熱伝導を抑制するための第３遮熱手段である。図２から図４に示すように、この第３遮熱部５３は、室内側表面材３０における扉体１０の戸尻側の部分とヒンジ部４０の上支持片４２との相互間に形成された遮熱空間部として構成されており、当該上支持片４２の上下方向の全長にわたって形成され、当該扉体１０の戸尻側の部分から当該上支持片４２に向けて傾斜するように（具体的には、見込み方向及び見付方向の各々に対して斜交するように）設けられている。
【００３４】
ここで、この第３遮熱部５３を遮熱空間部として構成するためには、具体的には、室内側表面材３０及びヒンジ部４０が扉枠２０に対して取り付けられた場合に、室内側表面材３０における扉体１０の戸尻側の部分と上支持片４２とが相互に接触しないように、室内側表面材３０における扉体１０の戸尻側の部分に、第２遮熱部５２を見込み方向（前後方向）の外側に向けて広げるための切欠部３２が形成されている。この切欠部３２の大きさ及び設置位置については、実施の形態１においては、室内側表面材３０と上支持片４２とが接触しない大きさ及び設置位置に設置されており、具体的には、室内側表面材３０のうち、上支持片４２と対向する部分及びその近傍部分を含む領域に設置されている。また、このような切欠部３２が形成されることにより、戸尻側縦力骨２１及びヒンジ部４０の支持状態が不安定になることが想定されるので、実施の形態１においては、戸尻側縦力骨２１及びヒンジ部４０を安定して支持するための補助部材３３が設けられている。この補助部材３３は、スチール製の長尺な板状体であり、具体的には、補助部材３３の前後方向の長さ（幅）が切欠部３２の前後方向の長さ（幅）よりも短く、補助部材３３の上下方向の長さ（高さ）が切欠部３２の上下方向の長さ（高さ）よりも短く、及び補助部材３３の左右方向の長さ（厚さ）が室内側表面材３０の厚さと略同一となるように形成されている。また、図２から図４に示すように、この補助部材３３は、室内側表面材３０における扉体１０の戸尻側の部分と、室外側表面材３１における扉体１０の戸尻側の部分との相互間に介在するように設置されており、具体的には、補助部材３３の少なくとも一部が第２遮熱部５２の領域のうち切欠部３２に囲繞された領域５２ａ（以下、「囲繞領域５２ａ」と称する）に位置し（より具体的には、室内側表面材３０及び室外側表面材３１と接触しないように位置し）、且つ、第１遮熱部５１が補助部材３３と戸尻側縦力骨２１の中央片２５とによって挟持されるように設置されている。このような構成により、後述する実施の形態３に係る扉２０１のように、室外側表面材３１の一部に後述する突出部分３４を形成して、当該突出部分３４を囲繞領域５２ａに位置するように設置した場合に比べて、室外側表面材３１を加工する手間を低減できるので、扉１の製造性を向上させることが可能となる。また、補助部材３３を設けない場合に比べて、戸尻側縦力骨２１やヒンジ部４０を安定して支持することができるので、扉体１０における構造の安定性を高めることが可能となる。
【００３５】
また、この第３遮熱部５３の前後方向の長さ（幅）及び左右方向の長さ（厚さ）については、室内側表面材３０における扉体１０の戸尻側の部分と上支持片４２との相互間での熱伝導を抑制することが可能である限り、任意に設定することができる。実施の形態１においては、この第３遮熱部５３の前後方向の長さ（幅）及び左右方向の長さ（厚さ）は、部屋の室内側又は室外側のいずれか一方で火災が発生した場合において、室内側表面材３０及び室外側表面材３１のいずれか一方から第３遮熱部５３及び上支持片４２を介して室内側表面材３０及び室外側表面材３１のいずれか他方へ熱伝導が行われる場合に、人が避難通路を通って避難することが妨げられない程度に、この熱伝導を抑制することが可能な長さに設定されており、具体的には、この熱伝導を抑制するために必要な当該長さを正確に設定できるように、実験結果等に基づいて設定されている。このような構成により、室内側表面材３０における扉体１０の戸尻側の部分とヒンジ部４０との相互間での熱伝導を抑制できる。
【００３６】
（構成−扉体の遮熱構造−扉体の戸尻側の遮熱構造−第４遮熱部）
第４遮熱部５４ａは、室内側表面材３０の主側面側（部屋の室内側）の部分と戸尻側縦力骨２１の室内側片２６との相互間での熱伝導を抑制するための第４遮熱手段であり、第４遮熱部５４ｂは、室外側表面材３１の主側面側（部屋の室外側）の部分と戸尻側縦力骨２１の室外側片２７との相互間での熱伝導を抑制するための第４遮熱手段である。この第４遮熱手段は、室内側表面材３０及び室外側表面材３１と戸尻側縦力骨２１との相互間の熱伝導を抑制する点において、第１遮熱手段と同様の機能を有するものである。これら第４遮熱部５４ａ、５４ｂの各々は、例えば公知の遮熱部材を用いて構成されており、この室内側片２６（又はこの室外側片２７）の上下方向の全長にわたって形成されている。また、図２から図４に示すように、第４遮熱部５４ａは、室内側表面材３０における部屋の室内側の部分とこの室内側片２６との相互間において、当該部屋の室内側の部分と当該室内側片２６とによって挟持されるように設けられており、当該部屋の室内側の部分又は当該室内側片２６に対して接着剤等によって固定されている。また、第４遮熱部５４ｂは、室外側表面材３１における部屋の室外側の部分とこの室外側片２７との相互間において、当該部屋の室外側の部分と当該室外側片２７とによって挟持されるように設けられており、当該部屋の室外側の部分又は当該室外側片２７に対して接着剤等によって固定されている。
【００３７】
また、この第４遮熱部５４ａの前後方向の長さ（厚さ）及び左右方向の長さ（幅）については、室内側表面材３０における部屋の室内側の部分と室内側片２６との相互間での熱伝導を抑制することが可能である限り、任意に設定することができる。実施の形態１においては、第４遮熱部５４ａの前後方向の長さ（厚さ）は、部屋の室内側又は室外側のいずれか一方で火災が発生した場合において、室内側表面材３０及び室内側片２６のいずれか一方から第４遮熱部５４ａを介して室内側表面材３０及び室内側片２６のいずれか他方へ熱伝導が行われる場合に、人が避難通路を通って避難することが妨げられない程度に、この熱伝導を抑制することが可能な長さに設定されており、具体的には、この熱伝導を抑制するために必要な当該長さが、第４遮熱部５４ａの材質に応じて異なり得ることから、実験結果等に基づいて設定されている。また、第４遮熱部５４ａの左右方向の長さ（幅）は、室内側片２６の左右方向の長さと略同一又はそれよりも長い長さに設定されている。また、この第４遮熱部５４ｂの前後方向の長さ（厚さ）及び左右方向の長さ（幅）については、上述した第４遮熱部５４ａの前後方向の長さ（厚さ）及び左右方向の長さ（幅）と同様に、室外側表面材３１における部屋の室外側の部分と室外側片２７との相互間での熱伝導を抑制することが可能な長さに設定されている。このような構成により、室内側表面材３０の主側面側（部屋の室内側）の部分と戸尻側縦力骨２１の室内側片２６との相互間での熱伝導を抑制できると共に、室外側表面材３１の主側面側（部屋の室外側）の部分と戸尻側縦力骨２１の室外側片２７との相互間での熱伝導を抑制できる。
【００３８】
（構成−扉体の遮熱構造−扉体の戸尻側の遮熱構造−その他の構造）
また、この扉体１０の戸尻側の遮熱構造に関するその他の構造については、扉体１０における戸尻側の部分の遮熱性能をさらに向上させるために、以下に示す特徴を有する。すなわち、室外側表面材３１の取付孔及び補助部材３３の取付孔の形状については、実施の形態１においては、固定具４３を介してヒンジ部４０と室外側表面材３１及び補助部材３３の各々との相互間で熱伝導が行われることを抑制できるように、固定具４３と室外側表面材３１又及び補助部材３３の各々とが接触しない形状にて形成されており、具体的には、これら取付孔の各々の直径が固定具４３の直径よりも大きく形成されている。このような形状により、固定具４３を介してヒンジ部４０と室外側表面材３１及び補助部材３３の各々との相互間で熱伝導が行われることを抑制できる。
【００３９】
以上のような扉体１０の戸尻側の遮熱構造により、部屋の室内側又は室外側のいずれか一方で火災が発生した場合に、当該火災の熱が当該扉１を介して当該部屋の室内側又は室外側のいずれか一方から当該部屋の室内側又は室外側のいずれか他方へ伝導することを抑制できるので、扉体１０における戸尻側の部分の遮熱性能を向上させることが可能となる。
【００４０】
（構成−扉体の遮熱構造−扉体の戸尻側以外の他の部位の遮熱構造）
次に、扉体１０の戸尻側以外の他の部位の遮熱構造について説明する。扉体１０における戸先側の部分以外の他の部分（具体的には、扉体１０の戸先側の部分、扉体１０の上面側の部分、扉体１０の下面側の部分）の遮熱性能を向上させるための遮熱構造として、扉体１０の戸先側の遮熱構造における第１遮熱部、第２遮熱部、及び一対の第４遮熱部が、扉体１０の戸先側の部分、扉体１０の上面側の部分、及び扉体１０の下面側の部分にそれぞれ設けられている（いずれも図示省略）。具体的には、扉体１０の戸先側の部分においては、第１遮熱部が、室内側表面材３０及び室外側表面材３１の各々における扉体１０の戸先側の部分と戸先側縦力骨２２の中央片との相互間に設けられ、第２遮熱部が、室内側表面材３０における扉体１０の戸先側の部分と室外側表面材３１における扉体１０の戸先側の部分との相互間に設けられ、一対の第４遮熱部が、室内側表面材３０の主側面側（部屋の室内側）の部分と戸先側縦力骨２２の室内側片との相互間、及び室外側表面材３１の主側面側（部屋の室外側）の部分と戸先側縦力骨２２の室外側片との相互間に設けられている。また、扉体１０の上面側の部分においては、第１遮熱部が、室内側表面材３０及び室外側表面材３１の各々における上面側の部分と上側横力骨２３の中央片との相互間に設けられ、第２遮熱部が、室内側表面材３０における上面側の部分と室外側表面材３１における上面側の部分との相互間に設けられ、一対の第４遮熱部が、室内側表面材３０の主側面側（部屋の室内側）の部分と上側横力骨２３の室内側片との相互間、及び室外側表面材３１の主側面側（部屋の室外側）の部分と上側横力骨２３の室外側片との相互間に設けられている。また、扉体１０の下面側の部分においては、第１遮熱部が、室内側表面材３０及び室外側表面材３１の各々における下面側の部分と下側横力骨２４の中央片との相互間に設けられ、第２遮熱部が、室内側表面材３０における下面側の部分と、室外側表面材３１における下面側の部分との相互間に設けられ、一対の第４遮熱部が、室内側表面材３０の主側面側（部屋の室内側）の部分と下側横力骨２４の室内側片との相互間、及び室外側表面材３１の主側面側（部屋の室外側）の部分と下側横力骨２４の室外側片との相互間に設けられている。このような扉体１０の戸尻側以外の他の部位の遮熱構造により、部屋の室内側又は室外側のいずれか一方で火災が発生した場合に、当該火災の熱が当該扉１を介して当該部屋の室内側又は室外側のいずれか一方から当該部屋の室内側又は室外側のいずれか他方へ伝導することを抑制できるので、扉体１０における戸先側の部分、扉体１０の上面側の部分、及び扉体１０の下面側の部分の遮熱性能を向上させることが可能となる。
【００４１】
（扉体の遮熱構造の作用）
このように構成された扉体１０の遮熱構造の作用について説明する。
【００４２】
まず、例えば、開口部全閉状態において、部屋の中で火災が発生した場合に、当該火災の熱によって室内側表面材３０が加熱される。
【００４３】
この場合において、上記火災の熱の一部が、室内側表面材３０から戸尻側縦力骨２１、戸先側縦力骨２２、上側横力骨２３、及び下側横力骨２４の各々を介して室外側表面材３１に向けて間接的に伝導しようとすると、扉体１０の戸尻側の遮熱構造における第１遮熱部５１及び第４遮熱部５４ａ、５４ｂ、並びに、扉体１０の戸尻側以外の他の部位の遮熱構造における第１遮熱部及び一対の第４遮熱部によって、室内側表面材３０と戸尻側縦力骨２１、戸先側縦力骨２２、上側横力骨２３、及び下側横力骨２４の各々との相互間、及び戸尻側縦力骨２１、戸先側縦力骨２２、上側横力骨２３、及び下側横力骨２４の各々と室外側表面材３１との相互間での熱伝導が抑制される。
【００４４】
また、上記火災の熱の他の一部が、室内側表面材３０から室外側表面材３１に向けて直接的に伝導しようとすると、扉体１０の戸尻側の遮熱構造における第２遮熱部５２、及び扉体１０の戸尻側以外の他の部位の遮熱構造における第２遮熱部によって、室内側表面材３０と室外側表面材３１との相互間での熱伝導が抑制される。
【００４５】
また、上記火災の熱の他の一部が、室内側表面材３０からヒンジ部４０を介して室外側表面材３１に向けて間接的に伝導しようとすると、扉体１０の戸尻側の遮熱構造における第３遮熱部５３によって、ヒンジ部４０と室内側表面材３０との相互間での熱伝導が抑制される。
【００４６】
以上のことから、上記火災の熱が、室内側表面材３０から室外側表面材３１に向けて直接的又は間接的に伝導することを抑制できるので、上記火災時において、人が避難通路を通って避難することが妨げられることを回避できる。
【００４７】
（効果）
このように実施の形態１によれば、室内側表面材３０及び室外側表面材３１の各々と、戸尻側縦力骨２１との相互間に設けられた第１遮熱部５１及び第４遮熱部５４ａ、５４ｂと、室内側表面材３０における扉体１０の戸尻側の部分と、当該部分と突き合わさるように配置された室外側表面材３１における扉体１０の戸尻側の部分との相互間に設けられた第２遮熱部５２と、室内側表面材３０における扉体１０の戸尻側の部分とヒンジ部４０との相互間に設けられた第３遮熱部５３と、を備えているので、第１遮熱部５１、第２遮熱部５２、第３遮熱部５３、及び第４遮熱部５４ａ、５４ｂによって、室内側表面材３０とヒンジ部４０との相互間での熱伝導を抑制することができると共に、室内側表面材３０又は室外側表面材３１の少なくともいずれか一方と戸尻側縦力骨２１との相互間での熱伝導、及び室内側表面材３０と室外側表面材３１との相互間での熱伝導も抑制することができ、扉１の遮熱性能（特に、扉体１０における戸尻側の部分の遮熱性能）を向上させることができる。よって、例えば、扉１を有する建物の部屋の中で火災が発生した場合に、この扉１に隣接する避難通路を通って人が避難することが妨げられることを回避できる。
【００４８】
また、第１遮熱部５１及び第４遮熱部５４ａ、５４ｂは、室内側表面材３０及び室外側表面材３１の各々と戸尻側縦力骨２１とによって挟持されるように設けられた遮熱部材であり、第２遮熱部５２は、室内側表面材３０における扉体１０の戸尻側の部分と、室外側表面材３１における扉体１０の戸尻側の部分との相互間に形成された遮熱空間部であり、第３遮熱部５３は、室内側表面材３０における扉体１０の戸尻側の部分とヒンジ部４０との相互間に形成された遮熱空間部であるので、第２遮熱部５２及び第３遮熱部５３が遮熱部材である場合に比べて、扉１の部品数を低減でき、扉１の製造コストを低減することが可能となる。
【００４９】
また、室内側表面材３０における扉体１０の戸尻側の部分と、室外側表面材３１における扉体１０の戸尻側の部分との相互間に介在させる補助部材３３を備え、第１遮熱部５１を補助部材３３と戸尻側縦力骨２１とによって挟持したので、補助部材３３を備えない場合に比べて、戸尻側縦力骨２１やヒンジ部４０を安定して支持することができ、扉体１０における構造の安定性を高めることが可能となる。
【００５０】
また、補助部材３３の少なくとも一部が、第２遮熱部５２の囲繞領域５２ａに位置するように、当該補助部材３３を設置したので、後述する実施の形態３に係る扉２０１のように、室外側表面材３１の一部に後述する突出部分３４を形成して、当該突出部分３４を囲繞領域５２ａに位置するように設置した場合に比べて、室内側表面材３０又は室外側表面材３１のいずれか一方を加工する手間を低減でき、扉１の製造性を向上させることが可能となる。
【００５１】
〔実施の形態２〕
まず、実施の形態２に係る扉について説明する。この実施の形態２は、第１遮熱手段及び第３遮熱手段が遮熱部材であり、第２遮熱手段が遮熱空間部である形態である。ただし、この実施の形態２の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【００５２】
（構成）
まず、実施の形態２に係る扉の構成について説明する。図６、図７に示すように、実施の形態２に係る扉１０１については、実施の形態１に係る扉１とほぼ同様に構成されている。ただし、室内側表面材３０の構成、及び扉体１０の戸尻側の遮熱構造の構成については、下記に示す工夫が施されている。
【００５３】
（構成−室内側表面材の構成）
次に、室内側表面材３０の構成について説明する。実施の形態２に係る室内側表面材３０は、実施の形態１に係る室内側表面材３０の構成要素に対して、切欠部３２及び補助部材３３を省略して構成されている。このような構成において、ヒンジ部４０の上支持片４２の固定方法については任意であるが、実施の形態２においては、図６、図７に示すように、上支持片４２の取付孔、第３遮熱部５３の取付孔、室外側表面材３１の取付孔（又は室内側表面材３０に形成された取付孔（図示省略））、第１遮熱部５１の取付孔、戸尻側縦力骨２１の中央片２５の取付孔２５ａ、及び固定ライナ２８の取付孔２８ａを介して、上支持片４２を固定ライナ２８に対して固定具４３により固定する。
【００５４】
（構成−扉体の戸尻側の遮熱構造の構成）
次に、扉体１０の戸尻側の遮熱構造の構成について説明する。図６、図７に示すように、実施の形態２に係る扉体１０の戸尻側の遮熱構造として、第１遮熱部５１、第２遮熱部５２、第３遮熱部５３、及び第４遮熱部５４ａ、５４ｂが設けられている。このうち、第３遮熱部５３は、例えば公知の遮熱部材を用いて構成されており、板状体に形成されており、ヒンジ部４０の上支持片４２における上下方向の略全長にわたって形成されている。また、この第３遮熱部５３は、室内側表面材３０における扉体１０の戸尻側の部分及び室外側表面材３１における扉体１０の戸尻側の部分の各々と上支持片４２との相互間に挟持されるように設けられており、当該扉体１０の戸尻側の部分の各々又は当該上支持片４２に対して接着剤等によって固定されている。また、この第３遮熱部５３の左右方向の長さ（厚さ）及び前後方向の長さ（幅）については、室内側表面材３０（又は室外側表面材３１）における扉体１０の戸尻側の部分と上支持片４２との相互間での熱伝導を抑制することが可能である限り、任意に設定することができる。実施の形態２においては、第３遮熱部５３の左右方向の長さ（厚さ）は、部屋の室内側又は室外側のいずれか一方で火災が発生した場合において、室内側表面材３０及び室外側表面材３１のいずれか一方から第３遮熱部５３及び上支持片４２を介して室内側表面材３０及び室外側表面材３１のいずれか他方へ熱伝導が行われる場合に、人が避難通路を通って避難することが妨げられない程度に、この熱伝導を抑制することが可能な長さに設定されており、具体的には、この熱伝導を抑制するために必要な当該長さが、第３遮熱部５３の材質に応じて異なり得ることから、実験結果等に基づいて設定されている。また、この第３遮熱部５３の前後方向の長さ（幅）は、上支持片４２のうち、室内側表面材３０及び室外側表面材３１と見付け方向に沿って重なり合う部分の前後方向の長さ（幅）よりも若干短い長さに設定されている（あるいは、当該重なり合う部分の前後方向の長さ（幅）と略同一に設定されてもよい）。このような構成により、第３遮熱部５３が遮熱空間部である場合に比べて、熱伝導を抑制することができ、扉体１０における戸尻側の部分の遮熱性能を向上させることが可能となる。
【００５５】
（効果）
このように実施の形態２によれば、第１遮熱部５１及び第４遮熱部５４ａ、５４ｂは、室内側表面材３０及び室外側表面材３１の各々と戸尻側縦力骨２１とによって挟持されるように設けられた遮熱部材であり、第２遮熱部５２は、室内側表面材３０における扉体１０の戸尻側の部分と、室外側表面材３１における扉体１０の戸尻側の部分との相互間に形成された遮熱空間部であり、第３遮熱部５３は、室内側表面材３０及び室外側表面材３１の各々とヒンジ部４０とによって挟持されるように設けられた遮熱部材であるので、第３遮熱部５３が遮熱空間部である場合に比べて、熱伝導を抑制することができ、扉１０１の遮熱性能を一層向上させることが可能となる。
【００５６】
〔実施の形態３〕
まず、実施の形態３に係る扉について説明する。この実施の形態３は、実施の形態１とは異なる形態であって、第１遮熱手段が遮熱部材であり、第２遮熱手段及び第３遮熱手段が遮熱空間部である形態である。ただし、この実施の形態３の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【００５７】
（構成）
まず、実施の形態３に係る扉の構成について説明する。図８から図１０に示すように、実施の形態３に係る扉２０１については、実施の形態１に係る扉１とほぼ同様に構成されている。ただし、室内側表面材３０の構成、室外側表面材３１の構成、及び扉体１０の戸尻側の遮熱構造の構成については、下記に示す工夫が施されている。
【００５８】
（構成−室内側表面材及び室外側表面材の構成）
次に、室内側表面材３０及び室外側表面材３１の構成について説明する。実施の形態３に係る室外側表面材３１における扉体１０の戸尻側の部分のうち切欠部３２に対応する部分には、実施の形態１に係る補助部材３３に代えて、部屋の室内側に向けて突出する突出部分３４が形成されている。この突出部分３４は、室内側表面材３０における扉体１０の戸尻側の部分と、室外側表面材３１における扉体１０の戸尻側の部分との相互間に介在するように設置されており、具体的には、図８から図１０に示すように、突出部分３４の少なくとも一部が第２遮熱部５２の囲繞領域５２ａに位置し、且つ、第１遮熱部５１が当該突出部分３４と戸尻側縦力骨２１の中央片２５とによって挟持されるように設置されている。ここで、この突出部分３４の形状については任意であるが、実施の形態３においては、突出部分３４の前後方向の長さ（幅）が当該突出部分３４と室内側表面材３０における扉体１０の戸尻側の部分との相互間に隙間が形成される長さとし、突出部分３４の上下方向の長さ（高さ）が切欠部３２の上下方向の長さ（高さ）よりも短く、及び、突出部分３４の左右方向の長さ（厚さ）が室内側表面材３０の厚さと略同一となるように形成されている。この場合において、ヒンジ部４０の上支持片４２の固定方法については任意であるが、実施の形態３においては、図８から図１０に示すように、上支持片４２の取付孔、室外側表面材３１における扉体１０の戸尻側の部分に形成された図示しない取付孔（具体的には、この取付孔が当該部分に複数形成されており、これら複数の取付孔の一部が当該部分の突出部分３４に形成されている）、第１遮熱部５１の取付孔、戸尻側縦力骨２１における中央片２５の取付孔２５ａ、及び固定ライナ２８の取付孔２８ａを介して、上支持片４２を固定ライナ２８に対して固定具４３により固定する。このような構成により、補助部材３３を設けていなくても、突出部分３４によって戸尻側縦力骨２１及びヒンジ部４０を安定して支持することができるので、扉２０１の部品数を低減することが可能となる。なお、このような突出部分３４は、具体的には、室外側表面材３１における扉体１０の戸尻側の部分のうち、先端部及びその近傍部分の一部を切断成形することにより形成される。
【００５９】
（構成−扉体の戸尻側の遮熱構造の構成）
次に、扉体１０の戸尻側の遮熱構造の構成について説明する。図８から図１０に示すように、実施の形態３に係る扉体１０の戸尻側の遮熱構造として、第１遮熱部５１、第２遮熱部５２、第３遮熱部５３、及び第４遮熱部５４ａ、５４ｂが設けられている。このうち、第２遮熱部５２は、室内側表面材３０における扉体１０の戸尻側の部分と室外側表面材３１における扉体１０の戸尻側の部分との相互間に形成された遮熱空間部として構成されている。特に、この第２遮熱部５２のうち、室外側表面材３１の突出部分３４と室内側表面材３０における扉体１０の戸尻側の部分との相互間に対応する部分が、第３遮熱部５３の一部と重複するように配置されているので、この重複部分は、第２遮熱部５２及び第３遮熱部５３の両方の機能を有することになる。これにより、第２遮熱部５２及び第３遮熱部５３を相互に離れて配置した場合に比べて、第２遮熱部５２の一部を第３遮熱部５３として兼用することができるので、例えば、扉体１０のコンパクト化を図ることが可能となる。
【００６０】
（効果）
このように実施の形態３によれば、第１遮熱部５１及び第４遮熱部５４ａ、５４ｂは、室内側表面材３０及び室外側表面材３１の各々と戸尻側縦力骨２１とによって挟持されるように設けられた遮熱部材であり、第２遮熱部５２は、室内側表面材３０における扉体１０の戸尻側の部分と、室外側表面材３１における扉体１０の戸尻側の部分との相互間に形成された遮熱空間部であり、第３遮熱部５３は、室内側表面材３０における扉体１０の戸尻側の部分とヒンジ部４０との相互間に形成された遮熱空間部であるので、実施の形態１に係る扉と同様に、第２遮熱部５２及び第３遮熱部５３が遮熱部材である場合に比べて、扉２０１の部品数を低減できる。
【００６１】
〔III〕各実施の形態に対する変形例
以上、本発明の各実施の形態について説明したが、本発明の具体的な構成及び手段は、特許請求の範囲に記載した各発明の技術的思想の範囲内において、任意に改変及び改良することができる。以下、このような変形例について説明する。
【００６２】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、本発明に係る扉の遮熱性能が従来と同程度であっても、従来と異なる構造により従来と同程度の遮熱性能を確保できている場合には、本願の課題は解決している。
【００６３】
（ヒンジ部について）
上記実施の形態１から３では、ヒンジ部４０は、当該ヒンジ部４０の上軸受４１及び下軸が扉体１０よりも部屋の室外側に位置するように設けられていると説明したが、これに限られず、例えば、部屋の室外側にヒンジ部４０が露出しないようにするために、当該ヒンジ部４０の上軸受４１及び下軸が扉体１０よりも部屋の室内側に位置するように設けられてもよい。この場合において、上記実施の形態１では、切欠部３２が、室外側表面材３１のうち上支持片４２と対向する部分及びその近傍部分を含む領域に形成され、補助部材３３が、当該補助部材３３の少なくとも一部が第２遮熱部５２の囲繞領域５２ａに位置し、且つ、第１遮熱部５１が補助部材３３と戸尻側縦力骨２１の中央片２５とによって挟持されるように設置されてもよい。また、上記実施の形態３では、切欠部３２が、室外側表面材３１のうち上支持片４２と対向する部分及びその近傍部分を含む領域に形成される共に、室内側表面材３０における扉体１０の戸尻側の部分のうち、切欠部３２に対応する部分が部屋の室内側に向けて突出するように、当該室内側表面材３０が形成され、この突出部分３４の少なくとも一部が第２遮熱部５２の囲繞領域５２ａに位置し、且つ、第１遮熱部５１が当該突出部分３４と戸尻側縦力骨２１の中央片２５とによって挟持されるように設置されてもよい。
【００６４】
（固定ライナについて）
上記実施の形態１から３では、固定ライナ２８が戸尻側縦力骨２１に設けられていると説明したが、これに限られない。例えば、戸尻側縦力骨２１の中央片２５において、固定具４３を取り付けるための取付孔２５ａを形成するための十分な領域を確保できる場合には、固定ライナ２８を省略して、ヒンジ部４０が、この固定具４３を介して中央片２５に対して固定されてもよい。
【００６５】
（扉体の戸尻側の遮熱構造における各種遮熱部について）
上記実施の形態１から３では、第１遮熱部５１及び第４遮熱部５４ａ、５４ｂは、遮熱部材として構成されていると説明したが、これに限られず、例えば、製造コストの低減を図るために、遮熱部材及び遮熱空間部を組み合わせたものとして構成されてもよい。具体的には、第１遮熱部５１及び第４遮熱部５４ａ、５４ｂの各々においては、複数の遮熱部材を相互に間隔を隔てて上下方向に沿って並設することにより構成されてもよい。また、上記実施の形態１から３では、第２遮熱部５２は、遮熱空間部として構成されていると説明したが、これに限られず、例えば、遮熱性能を向上させるために、遮熱部材として構成されてもよく、あるいは、遮熱部材及び遮熱空間部を組み合わせたものとして構成されてもよい。また、上記実施の形態１から３では、第３遮熱部５３は、遮熱部材又は遮熱空間部のいずれか一方によって構成されていると説明したが、これに限られず、例えば、遮熱部材及び遮熱空間部を組み合わせたものとして構成されてもよい。
【００６６】
（第１の付記）
第１の付記１の扉は、扉体をヒンジ部によって回動自在に軸支して構成された扉であって、前記扉体の２つの主側面のうち一方の主側面の一部及び当該扉体の戸尻側の側面の一部を覆う第１表面材と、前記扉体の前記２つの主側面のうち他方の主側面の一部及び当該扉体の戸尻側の側面の他の一部を覆う第２表面材と、前記扉体の内部であって、少なくとも当該扉体の戸尻側に設けられた支持部材と、前記第１表面材又は前記第２表面材の少なくともいずれか一方と、前記支持部材との相互間に設けられた第１遮熱手段と、前記第１表面材における前記扉体の戸尻側の部分と、当該部分と突き合わさるように配置された前記第２表面材における前記扉体の戸尻側の部分との相互間に設けられた第２遮熱手段と、前記第１表面材における前記扉体の戸尻側の部分又は前記第２表面材における前記扉体の戸尻側の部分の少なくともいずれか一方と前記ヒンジ部との相互間に設けられた第３遮熱手段と、を備えている。
【００６７】
第１の付記２の扉は、第１の付記１に記載の扉において、前記第１遮熱手段は、前記第１表面材又は前記第２表面材の少なくともいずれか一方と前記支持部材とによって挟持されるように設けられた遮熱部材であり、前記第２遮熱手段は、前記第１表面材における前記扉体の戸尻側の部分と、前記第２表面材における前記扉体の戸尻側の部分との相互間に形成された遮熱空間部であり、前記第３遮熱手段は、前記第１表面材における前記扉体の戸尻側の部分又は前記第２表面材における前記扉体の戸尻側の部分のいずれか一方と前記ヒンジ部との相互間に形成された遮熱空間部である。
【００６８】
第１の付記３の扉は、第１の付記２に記載の扉において、前記第１表面材における前記扉体の戸尻側の部分と、前記第２表面材における前記扉体の戸尻側の部分との相互間に介在させる補助部材を備え、前記遮熱部材を前記補助部材と前記支持部材とによって挟持した。
【００６９】
第１の付記４の扉は、第１の付記３に記載の扉において、前記第１表面材における前記扉体の戸尻側の部分、又は前記第２表面材における前記扉体の戸尻側の部分のいずれか一方の一部のみに、当該第１表面材における前記扉体の戸尻側の部分と、当該第２表面材における前記扉体の戸尻側の部分との相互間に形成された前記遮熱空間部を見込み方向の外側に向けて広げるための切欠部を形成し、前記補助部材の少なくとも一部が、前記遮熱空間部の領域のうち、前記切欠部に囲繞された囲繞領域に位置するように、当該補助部材を設置した。
【００７０】
第１の付記５の扉は、第１の付記１に記載の扉において、前記第１遮熱手段は、前記第１表面材及び前記第２表面材の各々と前記支持部材とによって挟持されるように設けられた遮熱部材であり、前記第２遮熱手段は、前記第１表面材における前記扉体の戸尻側の部分と、前記第２表面材における前記扉体の戸尻側の部分との相互間に形成された遮熱空間部であり、前記第３遮熱手段は、前記第１表面材及び前記第２表面材の各々と前記ヒンジ部とによって挟持されるように設けられた遮熱部材である。
【００７１】
（第１の付記の効果）
第１の付記１に記載の扉によれば、第１表面材又は第２表面材の少なくともいずれか一方と、支持部材との相互間に設けられた第１遮熱手段と、第１表面材における扉体の戸尻側の部分と、当該部分と突き合わさるように配置された第２表面材における扉体の戸尻側の部分との相互間に設けられた第２遮熱手段と、第１表面材における扉体の戸尻側の部分又は第２表面材における扉体の戸尻側の部分の少なくともいずれか一方とヒンジ部との相互間に設けられた第３遮熱手段と、を備えているので、第１遮熱手段、第２遮熱手段、及び第３遮熱手段によって、第１表面材又は第２表面材の少なくともいずれか一方とヒンジ部との相互間での熱伝導を抑制することができると共に、第１表面材又は第２表面材の少なくともいずれか一方と支持部材との相互間での熱伝導、及び第１表面材と第２表面材との相互間での熱伝導も抑制することができ、当該扉の遮熱性能（特に、扉体における戸尻側の部分の遮熱性能）を向上させることができる。よって、例えば、当該扉を有する建物の部屋の中で火災が発生した場合に、当該扉に隣接する避難通路を通って人が避難することが妨げられることを回避できる。
【００７２】
第１の付記２に記載の扉によれば、第１遮熱手段は、第１表面材又は第２表面材の少なくともいずれか一方と支持部材とによって挟持されるように設けられた遮熱部材であり、第２遮熱手段は、第１表面材における扉体の戸尻側の部分と、第２表面材における扉体の戸尻側の部分との相互間に形成された遮熱空間部であり、第３遮熱手段は、第１表面材における扉体の戸尻側の部分又は第２表面材における扉体の戸尻側の部分のいずれか一方とヒンジ部との相互間に形成された遮熱空間部であるので、第２遮熱手段及び第３遮熱手段が遮熱部材である場合に比べて、当該扉の部品数を低減でき、当該扉の製造コストを低減することが可能となる。
【００７３】
第１の付記３に記載の扉によれば、第１表面材における扉体の戸尻側の部分と、第２表面材における扉体の戸尻側の部分との相互間に介在させる補助部材を備え、遮熱部材を補助部材と支持部材とによって挟持したので、補助部材を備えない場合に比べて、支持部材やヒンジ部を安定して支持することができ、扉体における構造の安定性を高めることが可能となる。
【００７４】
第１の付記４に記載の扉によれば、補助部材の少なくとも一部が、遮熱空間部の領域のうち、切欠部に囲繞された囲繞領域に位置するように、当該補助部材を設置したので、第１表面材又は第２表面材のいずれか一方の一部に突出部分を形成して、当該突出部分を囲繞領域に位置するように設置した場合に比べて、第１表面材又は第２表面材のいずれか一方を加工する手間を低減でき、当該扉の製造性を向上させることが可能となる。
【００７５】
第１の付記５に記載の扉によれば、第１遮熱手段は、第１表面材及び第２表面材の各々と支持部材とによって挟持されるように設けられた遮熱部材であり、第２遮熱手段は、第１表面材における扉体の戸尻側の部分と、第２表面材における扉体の戸尻側の部分との相互間に形成された遮熱空間部であり、第３遮熱手段は、第１表面材及び第２表面材の各々とヒンジ部とによって挟持されるように設けられた遮熱部材であるので、第３遮熱手段が遮熱空間部である場合に比べて、熱伝導を抑制することができ、当該扉の遮熱性能を一層向上させることが可能となる。
【００７６】
（第２の付記）
第２の付記１の扉は、扉体をヒンジ部によって回動自在に軸支して構成された扉であって、前記扉体の２つの主側面のうち一方の主側面の一部及び当該扉体の戸尻側の側面の一部を覆う第１表面材と、前記扉体の前記２つの主側面のうち他方の主側面の一部及び当該扉体の戸尻側の側面の他の一部を覆う第２表面材と、前記第１表面材における前記扉体の戸尻側の部分又は前記第２表面材における前記扉体の戸尻側の部分の少なくともいずれか一方と前記ヒンジ部との相互間に設けられた遮熱手段と、を備える。
【００７７】
（第２の付記の効果）
第２の付記１に記載の扉によれば、第１表面材又は第２表面材の少なくともいずれか一方と、第１表面材における扉体の戸尻側の部分又は第２表面材における扉体の戸尻側の部分の少なくともいずれか一方とヒンジ部との相互間に設けられた遮熱手段と、を備えているので、遮熱手段によって、第１表面材又は第２表面材の少なくともいずれか一方とヒンジ部との相互間での熱伝導を抑制することができ、当該扉の遮熱性能（特に、扉体における戸尻側の部分の遮熱性能）を向上させることができる。よって、例えば、当該扉を有する建物の部屋の中で火災が発生した場合に、当該扉に隣接する避難通路を通って人が避難することが妨げられることを回避できる。
【符号の説明】
【００７８】
１、１０１、２０１  扉
１０  扉体
１１  把手
２０  扉枠
２１  縦力骨（戸尻側縦力骨）
２２  縦力骨（戸先側縦力骨）
２３  横力骨（上側横力骨）
２４  横力骨（下側横力骨）
２５  中央片
２５ａ  取付孔
２６  室内側片
２７  室外側片
２７ａ  切欠部
２８  固定ライナ
２８ａ  取付孔
３０  表面材（室内側表面材、第１表面材）
３１  表面材（室外側表面材、第２表面材）
３２  切欠部
３３  補助部材
３４  突出部分
４０  ヒンジ部
４１  上軸受
４２  上支持片
４３  固定具
５１  第１遮熱部
５２  第２遮熱部
５２ａ  囲繞領域
５３  第３遮熱部
５４ａ、５４ｂ  第４遮熱部
【図１】
2019218857.tif 000003
【図２】
2019218857.tif 000004
【図３】
2019218857.tif 000005
【図４】
2019218857.tif 000006
【図５】
2019218857.tif 000007
【図６】
2019218857.tif 000008
【図７】
2019218857.tif 000009
【図８】
2019218857.tif 000010
【図９】
2019218857.tif 000011
【図１０】
2019218857.tif 000012
【手続補正書】
【提出日】令和1年10月24日(2019.10.24)
【手続補正１】
【補正対象書類名】特許請求の範囲
【補正対象項目名】全文
【補正方法】変更
【補正の内容】
【特許請求の範囲】
【請求項１】
扉体をヒンジ部によって回動自在に軸支して構成された扉であって、
前記扉体の２つの主側面のうち一方の主側面の一部及び当該扉体の戸尻側の側面の一部を覆う第１表面材と、
前記扉体の前記２つの主側面のうち他方の主側面の一部及び当該扉体の戸尻側の側面の他の一部を覆う第２表面材と、
前記第１表面材における当該扉体の戸尻側の側面又は前記第２表面材における当該扉体の戸尻側の側面に形成された切欠部であって、見付方向から見て前記ヒンジ部と重複するように配置された切欠部と、
前記第１表面材における前記扉体の戸尻側の部分又は前記第２表面材における前記扉体の戸尻側の部分の少なくともいずれか一方と前記ヒンジ部との相互間に設けられた遮熱手段であって、当該遮熱手段の一部が前記切欠部内に位置するように配置された遮熱手段と、
を備える扉。
【請求項２】
前記遮熱手段は、前記第１表面材における前記扉体の戸尻側の部分又は前記第２表面材における前記扉体の戸尻側の部分の少なくともいずれか一方と前記ヒンジ部との相互間の空間と、前記切欠部内の空間とからなる遮熱空間部である、
請求項１に記載の扉。
【手続補正２】
【補正対象書類名】明細書
【補正対象項目名】０００６
【補正方法】変更
【補正の内容】
【０００６】
上述した課題を解決し、目的を達成するために、請求項１に記載の扉は、扉体をヒンジ部によって回動自在に軸支して構成された扉であって、前記扉体の２つの主側面のうち一方の主側面の一部及び当該扉体の戸尻側の側面の一部を覆う第１表面材と、前記扉体の前記２つの主側面のうち他方の主側面の一部及び当該扉体の戸尻側の側面の他の一部を覆う第２表面材と、前記第１表面材における当該扉体の戸尻側の側面又は前記第２表面材における当該扉体の戸尻側の側面に形成された切欠部であって、見付方向から見て前記ヒンジ部と重複するように配置された切欠部と、前記第１表面材における前記扉体の戸尻側の部分又は前記第２表面材における前記扉体の戸尻側の部分の少なくともいずれか一方と前記ヒンジ部との相互間に設けられた遮熱手段であって、当該遮熱手段の一部が前記切欠部内に位置するように配置された遮熱手段と、を備える。
また、請求項２に記載の扉は、請求項１に記載の扉において、前記遮熱手段は、前記第１表面材における前記扉体の戸尻側の部分又は前記第２表面材における前記扉体の戸尻側の部分の少なくともいずれか一方と前記ヒンジ部との相互間の空間と、前記切欠部内の空間とからなる遮熱空間部である。